(57)【要約】【課題】  電気光学パネルにおいて非選択画素部における表示素子の誤動作による影響を小さくする。【解決手段】  電気光学パネルを駆動するための駆動回路であって、選択信号に応じてデータ線に画像信号を夫々供給する複数の選択用スイッチング素子と、各走査線に走査信号を供給する走査線駆動回路と、走査信号供給期間内に選択信号を選択用スイッチング素子に供給する選択信号供給回路と、画像信号を、画像信号調整期間内に第１極性では第１電位とし、第２極性では第２電位とすると共に、画像信号供給期間に表示電位として、各選択用スイッチング素子に供給する画像信号供給回路とを備えており、走査線駆動回路は、画像信号調整期間内に走査信号の供給を終了する。【選択図】  図５
2005326750.tif 000002
【特許請求の範囲】
【請求項１】
基板上に、複数の走査線及び複数のデータ線と、前記走査線及び前記データ線に夫々電気的に接続されると共に、表示素子を夫々含む複数の画素部とを備える電気光学パネルを駆動するための駆動回路であって、
画像信号供給期間を規定する選択信号に応じて前記データ線に画像信号を夫々供給する複数の選択用スイッチング素子と、
前記複数の走査線を選択するための走査信号を、前記複数の走査線に夫々供給する走査線駆動回路と、
前記走査線に前記走査信号が供給されている走査信号供給期間内に、前記選択信号を、前記複数のデータ線のうち一又は複数のデータ線に対応する前記選択用スイッチング素子に供給する選択信号供給回路と、
前記複数の走査線のうち、前記走査信号が相対的に先に供給される一の走査線と、前記走査信号が相対的に後に供給される他の走査線とについて、時間軸上で、前記一の走査線の走査信号供給期間において前記選択信号の供給が終了した後に位置し且つ前記他の走査線の走査信号供給期間において前記選択信号の供給の開始より前に位置する画像信号調整期間内に前記画像信号を所定の電位に対して第１極性と第２極性とに極性反転させると共に、前記画像調整期間内において前記画像信号は前記第１極性では所定の第１電位とし、前記第２極性では所定の第２電位として、前記各選択用スイッチング素子に供給すると共に、前記画像信号供給期間に前記画像信号をデータ線毎に調整された表示電位として、前記各選択用スイッチング素子に供給する画像信号供給回路と
を備えており、
前記走査線駆動回路は、前記画像信号調整期間内に、前記一の走査線に対する前記走査信号の供給を終了すること
を特徴とする電気光学パネルの駆動回路。
【請求項２】
前記画像信号供給回路は、前記画像信号調整期間内において、前記一の走査線の走査信号供給期間が終了した後に前記極性反転を行うこと
を特徴とする請求項１に記載の電気光学パネルの駆動回路。
【請求項３】
前記画像信号供給回路は、前記第１電位又は前記第２電位を、前記画素部において最も低い階調を表示するための第１表示電位及び最も高い階調を表示するための第２表示電位のうち、前記所定の電位に近い方の電位となるように調整するか、若しくは、前記第１電位又は前記第２電位と前記所定の電位の間において前記第１表示電位若しくは前記第２表示電位よりも前記所定の電位に近い電位となるように調整する
こと
を特徴とする請求項１又は２に記載の電気光学パネルの駆動回路。
【請求項４】
前記画像信号供給回路は、前記第１電位又は前記第２電位を前記所定の電位とすること
を特徴とする請求項１又は２に記載の電気光学パネルの駆動回路。
【請求項５】
前記走査線駆動回路は、前記複数の走査線が線順次に選択されるように、前記走査信号を供給すること
を特徴とする請求項１から４のいずれか一項に記載の電気光学パネルの駆動回路。
【請求項６】
請求項１から５のいずれか一項に記載の前記電気パネルの駆動回路及び前記電気光学パネルを備えたことを特徴とする電気光学装置。
【請求項７】
前記画素部は、前記表示素子をスイッチング制御する画素スイッチング素子を含み、
前記表示素子は、画素電極及び該画素電極に対向して設けられ、共通電位とされる対向電極間に電気光学物質を挟持してなり、
前記画素スイッチング素子は、前記走査線より供給される前記走査信号に応じて、前記データ線より供給される前記画像信号を、前記画素電極に供給すると共に、
前記表示素子は、前記画像信号に基づいて画像表示を行うこと
を特徴とする請求項６に記載の電気光学装置。
【請求項８】
請求項６又は７に記載の電気光学装置を具備してなることを特徴とする電子機器。
【請求項９】
基板上に、複数の走査線及び複数のデータ線と、前記走査線及び前記データ線に夫々電気的に接続されると共に、表示素子を夫々含む複数の画素部とを備える電気光学パネルを駆動するための駆動方法であって、
画像信号供給期間を規定する選択信号に応じて前記複数のデータ線のうち一又は複数のデータ線に画像信号を供給し、
前記複数の走査線を選択するための走査信号を、前記複数の走査線に夫々供給し、
前記走査線に前記走査信号が供給されている走査信号供給期間内に、前記選択信号を供給し、
前記複数の走査線のうち、前記走査信号が相対的に先に供給される一の走査線と、前記走査信号が相対的に後に供給される他の走査線とについて、時間軸上で、前記一の走査線の走査信号供給期間において前記選択信号の供給が終了した後に位置し且つ前記他の走査線の走査信号供給期間において前記選択信号の供給の開始より前に位置する画像信号調整期間内に前記画像信号を所定の電位に対して第１極性と第２極性とに極性反転させると共に、前記画像信号調整期間内において前記画像信号は前記第１極性では所定の第１電位とし、前記第２極性では所定の第２電位として供給すると共に、前記画像信号供給期間に前記画像信号をデータ線毎に調整された表示電位として供給し、
前記画像信号調整期間内に、前記一の走査線に対する前記走査信号の供給を終了すること
を特徴とする電気光学パネルの駆動方法。
【発明の詳細な説明】
【技術分野】
【０００１】
本発明は、例えば液晶パネル等の電気光学パネルを駆動する駆動回路及び方法、該電気光学パネル及び駆動回路を備えてなる例えば液晶装置等の電気光学装置、並びにそのような電気光学装置を具備してなる例えば液晶プロジェクタ等の電子機器の技術分野に関する。
【背景技術】
【０００２】
この種の駆動回路によって駆動される電気光学パネルの一例として、特許文献１又は２には、各画素部において、電気光学物質の一例である液晶を画素電極及び対向電極間に挟持してなる液晶素子に、画素電極及び対向電極の各々の電位によって規定される電圧を印加して画像表示を行う液晶パネルが開示されている。この液晶パネルでは、駆動回路によって、直流成分の印加による液晶の劣化を防止する等のために、液晶素子を以下のように交流駆動する。
【０００３】
各画素部には、駆動回路より出力された走査信号が走査線を介して供給され、駆動回路より第１極性若しくは第２極性に反転された電圧の画像信号がデータ線を介して供給される。ここで、各データ線には、データ線に画像信号が供給される画像信号供給期間を規定する選択用スイッチング素子が設けられ、選択用スイッチング素子を介して駆動回路より出力された画像信号がデータ線に供給される。そして、走査信号の供給によって選択された画素部において、供給された画像信号に基づいて液晶素子は画像表示を行う。ここで、例えばノーマリーホワイトモードの表示では、液晶素子によって黒レベルの表示を行った後、極性反転された画像信号に基づいて黒レベルの表示を行う際に、データ線の電圧の変化は最も大きくなる。
【０００４】
特許文献１によれば、走査線数がビデオソースの走査線数より多い液晶パネルにおいて画像表示を行う際に、駆動回路によって帰線期間に表示期間の通常動作の２倍の高速走査が行われる。また、特許文献２によれば、駆動回路は、画像信号の入出力特性を液晶パネルの種別に応じて制御する。
【０００５】
各走査線は走査信号が供給されることにより線順次に駆動する。そして、画像信号供給期間が経過した後、画像信号の極性が反転されると同時に、走査線への走査信号の供給が終了して、走査線の選択が終了する。
【０００６】
【特許文献１】特開平９−２６９７５３号公報
【特許文献２】特開２００２−２２１９４０号公報
【発明の開示】
【発明が解決しようとする課題】
【０００７】
しかしながら、上述したような液晶パネルでは、表示画面の中央付近に位置する画素部では、配線抵抗若しくは配線容量によって、走査信号の供給が終了されても、走査線の選択が終了されるタイミングが、画像信号の極性反転タイミングに対して遅れることがある。これにより、選択用スイッチング素子の容量結合を介して画像信号の交流成分が、データ線に書き込まれ更にはデータ線を介して液晶素子に書き込まれて、液晶素子が誤動作する恐れがある。極性反転に伴う画像信号の電圧の変化が大きいと、前述した液晶素子の誤動作が表示画像に与える影響も大きくなり、表示画像の品質が著しく劣化するという問題点が生じる。
【０００８】
本発明は、上記問題点に鑑み成されたものであり、電気光学パネルにおいて非選択画素部における表示素子の誤動作による影響を小さくすることが可能な駆動回路及び駆動方法、並びに電気光学パネル及び駆動回路を備えてなる電気光学装置、及びそのような電気光学装置を備えた各種電子機器を提供することを課題とする。
【課題を解決するための手段】
【０００９】
本発明の電気光学パネルの駆動回路は上記課題を解決するために、基板上に、複数の走査線及び複数のデータ線と、前記走査線及び前記データ線に夫々電気的に接続されると共に、表示素子を夫々含む複数の画素部とを備える電気光学パネルを駆動するための駆動回路であって、画像信号供給期間を規定する選択信号に応じて前記データ線に画像信号を夫々供給する複数の選択用スイッチング素子と、前記複数の走査線を選択するための走査信号を、前記複数の走査線に夫々供給する走査線駆動回路と、前記走査線に前記走査信号が供給されている走査信号供給期間内に、前記選択信号を、前記複数のデータ線のうち一又は複数のデータ線に対応する前記選択用スイッチング素子に供給する選択信号供給回路と、前記複数の走査線のうち、前記走査信号が相対的に先に供給される一の走査線と、前記走査信号が相対的に後に供給される他の走査線とについて、時間軸上で、前記一の走査線の走査信号供給期間において前記選択信号の供給が終了した後に位置し且つ前記他の走査線の走査信号供給期間において前記選択信号の供給の開始より前に位置する画像信号調整期間内に前記画像信号を所定の電位に対して第１極性と第２極性とに極性反転させると共に、前記画像信号調整期間内において前記画像信号は前記第１極性では所定の第１電位とし、前記第２極性では所定の第２電位として、前記各選択用スイッチング素子に供給すると共に、前記画像信号供給期間に前記画像信号をデータ線毎に調整された表示電位として、前記各選択用スイッチング素子に供給する画像信号供給回路とを備えており、前記走査線駆動回路は、前記画像信号調整期間内に、前記一の走査線に対する前記走査信号の供給を終了する。
【００１０】
本発明の駆動回路によって駆動される電気光学パネルにおいて、各画素部には、液晶素子等の表示素子が含まれる他、表示素子を駆動するための駆動素子として例えば薄膜トランジスタ（Ｔｈｉｎ Ｆｉｌｍ Ｔｒａｎｓｉｓｔｏｒ；以下適宜、“ＴＦＴ”と称する）等の画素スイッチング素子が設けられる。各走査線は、基板上の画像表示領域において、例えば一方向に沿って並べて配線されている。
【００１１】
電気光学パネルの駆動時、各走査線は、走査線駆動回路より供給される走査信号によって選択される。そして、選択された走査線より走査信号が供給されることにより、対応する画素部は、選択された状態となる。例えば、選択された走査線より走査信号が供給されて画素スイッチング素子がオン状態とされることにより、画素部は選択された状態となる。
【００１２】
各選択用スイッチング素子には、画像信号供給回路から画像信号が供給される。各走査線の走査信号供給期間において、選択信号供給回路より選択信号が供給されている画像信号供給期間に、複数のデータ線のうち一又は複数のデータ線に対応する選択用スイッチング素子はオン状態となり、一又は複数のデータ線には、対応する選択用スイッチング素子を介して画像信号が供給される。
【００１３】
そして、走査信号によって選択された画素部において、表示素子には対応するデータ線より画像信号が供給される。供給された画像信号により、表示素子は交流駆動され、画像表示を行う。
【００１４】
ここで、画像信号供給回路は、次のように画像信号の電位を調整して、各選択用スイッチング素子に供給する。即ち、画像信号供給回路は、画像信号供給期間には、画像信号をデータ線毎に表示電位に調整する。他方、複数の走査線のうち相対的に先に選択される一の走査線と、相対的に後に選択される他の走査線とについて、画像信号供給回路は、時間軸上で、一の走査線の走査信号供給期間において選択信号の供給が終了した後に位置し且つ他の走査線の走査信号供給期間において選択信号の供給が開始するより前に位置する所定の期間を、画像信号調整期間とする。尚、画像信号調整期間の長さは、電気光学パネルの種類に応じて、変化させるようにするのが好ましい。
【００１５】
そして、画像信号供給回路は、画像信号調整期間内に、画像信号を、所定の電位（この電位を以下において基準電位と称することもある）に対して第１極性と第２極性とに極性反転させると共に、極性反転前に、極性反転前の極性が第１極性の場合は所定の第１電位とし、極性反転前の極性が第２極性の場合は所定の第２電位とする。或いは、画像信号調整期間内に、画像信号を、極性反転させた後、極性反転後の極性が第１極性の場合は第１電位とし、極性反転後の極性が第２極性の場合は第２電位とする。若しくは、画像信号調整期間内に、画像信号を、極性反転前に、極性反転前の極性が第１極性の場合は第１電位とし、極性反転前の極性が第２極性の場合は第２電位とし、極性反転させた後に、極性反転後の極性が第１極性の場合は第１電位とし、極性反転後の極性が第２極性の場合は第２電位とする。ここで、第１電位は又は第２電位は、例えば、各画素部で、最も低い階調を表示するための第１表示電位及び最も高い階調を表示するための第２表示電位間の所定電位とし、例えば、第１表示電位と第２表示電位とのうち、基準電位に近い方の電位とする。従って、画像信号の極性反転に伴う電圧の変化を、上述したように電位を調整しない場合と比較して、小さくすることが可能となる。尚、画像信号を、極性反転前と極性反転後の両方で第１電位若しくは第２電位とする場合に、最も画像信号の電圧の変化を小さくすることができる。
【００１６】
走査線駆動回路は、一の走査線に対する走査信号の供給を、画像信号調整期間内に終了する。この際、一の走査線における、例えば画像表示領域の中央付近に位置する一部分で、走査信号の供給終了タイミングに対して、選択終了タイミングが遅れると、一の走査線の一部分に対応する画素部の選択が終了する前に、該画素部に、対応するデータ線に選択用スイッチング素子の容量結合を介して供給された画像信号の交流成分が書き込まれる可能性がある。
【００１７】
しかしながら、上述したように、極性反転に伴う画像信号の電圧の変化は小さいため、画像信号の交流成分が書き込まれることによって誤動作した表示素子による表示画像への影響を小さくすることができる。また、上述したような画像信号調整期間を設けることにより、例えば先行技術文献１に記載されたように各走査線を高速走査させる場合にも、表示素子の誤動作による表示画像への影響を小さくすることができる。
【００１８】
本発明の電気光学パネルの駆動回路の一態様では、前記画像信号供給回路は、前記画像信号調整期間内において、前記一の走査線の走査信号供給期間が終了した後に前記極性反転を行う。
【００１９】
この態様によれば、画像信号調整期間内において、画像信号供給回路は、極性反転前に画像信号を第１電位若しくは第２電位に調整して、極性反転時までに維持する。又は、画像信号調整期間内において、画像信号供給回路は、極性反転後に画像信号を第１電位若しくは第２電位に調整する。従って、この態様では、画像信号の電位を変化させないで、一の走査線の走査信号供給期間を終了する。よって、一の走査線の一部分において、走査信号の供給終了タイミングに対して選択終了タイミングが遅れても、一の走査線の一部分に対応する画素部に、対応するデータ線に選択用スイッチング素子の容量結合を介して供給された画像信号の交流成分が書き込まれるのを防止することができる。従って、表示素子の誤動作による表示画像への影響をほぼ除去することが可能となる。
【００２０】
本発明の電気光学パネルの駆動回路の他の態様では、前記画像信号供給回路は、前記第１電位又は前記第２電位を、前記画素部において最も低い階調を表示するための第１表示電位及び最も高い階調を表示するための第２表示電位のうち、前記所定の電位に近い方の電位となるように調整するか、若しくは、前記第１電位又は前記第２電位と前記所定の電位の間において前記第１表示電位若しくは前記第２表示電位よりも前記所定の電位に近い電位となるように調整する。
【００２１】
この態様によれば、例えば、各画素部においてノーマリーホワイトモードの表示を行う場合には、画像信号供給回路によって第１電位又は第２電位が、各画素部において最も低い階調（即ち、ホワイト）を表示するための第１表示電位に調整されるか、若しくは各画素部において最も高い階調（即ち、ブラック）を表示するための第２表示電位より基準電位に近づけた電位に調整されるのが好ましい。或いは、各画素部においてノーマリーブラックモードの表示を行う場合には、画像信号供給回路によって第１電位又は第２電位が、第２表示電位に調整されるか、若しくは第１表示電位より基準電位に近づけた電位に調整されるのが好ましい。このようにすれば、極性反転に伴う画像信号の電圧の変化をより小さくすることが可能となる。また、ノーマリーホワイトモード若しくはノーマリブラックモードで、上述したように第１電位及び第２電位を調整すると共に、極性反転前と極性反転後の両方で第１電位若しくは第２電位とする場合に、極性反転に伴う画像信号の電圧の変化を最も小さくすることが可能となる。
【００２２】
本発明の電気光学パネルの駆動回路の他の態様では、前記画像信号供給回路は、前記第１電位又は前記第２電位を前記所定の電位とする。
【００２３】
この態様によれば、各画素部においてノーマリーホワイトモード又はノーマリーブラックモードの表示を行う場合において、極性反転に伴う画像信号の電圧の変化をより小さくすることが可能となる。ここで、第１電位及び第２電位を基準電位としたときには、画像信号調整期間内において、画像信号の電位を変化させないで、一の走査線の走査信号供給期間を終了させることが可能となる。従って、一の走査線の一部分において、走査信号の供給終了タイミングに対して選択終了タイミングが遅れても、一の走査線の一部分に対応する画素部における表示素子の誤動作を防止して、このような誤動作による表示画像への影響をほぼ除去することが可能となる。
【００２４】
本発明の電気光学パネルの駆動回路の他の態様では、前記走査線駆動回路は、前記複数の走査線が線順次に選択されるように、前記走査信号を供給する。
【００２５】
この態様によれば、各走査線に対応する画素部が、走査線毎に異なる極性で駆動される、即ち１Ｈ反転駆動を行うことが可能となる。尚、本発明における「線順次」には、各走査線を上述の一方向に沿った順番に選択する場合の他、複数の部分領域で互い違いに各走査線を選択する場合も含まれる。
【００２６】
本発明の電気光学装置は、上記課題を解決するために、上述した本発明の電気光学パネルの駆動回路（但し、その各種態様も含む）、及び前記電気光学パネルを備える。
【００２７】
本発明の電気光学装置によれば、画像信号の極性反転時に、画像信号の交流成分が書き込まれることによって誤動作した表示素子による表示画像への影響は抑制されるため、高品質な画像表示を行うことが可能となる。
【００２８】
本発明の電気光学装置の一の態様では、前記画素部は、前記表示素子をスイッチング制御する画素スイッチング素子を含み、前記表示素子は、画素電極及び該画素電極に対向して設けられ、共通電位とされる対向電極間に電気光学物質を挟持してなり、前記画素スイッチング素子は、前記走査線より供給される前記走査信号に応じて、前記データ線より供給される前記画像信号を、前記画素電極に供給すると共に、前記表示素子は、前記画像信号に基づいて画像表示を行う。
【００２９】
この態様によれば、各画素部において表示素子は、画素スイッチング素子によって、スイッチング制御される。より具体的には、画素スイッチング素子は、対応する走査線より供給された走査信号に応じて、対応するデータ線に供給された画像信号を表示素子の画素電極に供給する。これにより、各画素部をアクティブマトリクス駆動することが可能となる。
【００３０】
また、各画素部において、表示素子は、画素電極及び対向電極間に液晶等の電気光学物質を挟持してなる。そして、画素電極及び対向電極の各々の電位によって規定される電圧が電気光学物質に印加されることにより、表示素子によって画像表示が行われる。ここで、各画素部において、表示素子の対向電極は共通の所定電位に維持される。そして、画素電極に極性反転された画像信号が供給されることにより、表示素子を交流駆動することが可能となる。
【００３１】
本発明の電子機器は上記課題を解決するために、上述した本発明の電気光学装置（但し、その各種態様も含む）を具備する。
【００３２】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Degital  Light  Processing）等を実現することも可能である。
【００３３】
本発明の電気光学パネルの駆動方法は上記課題を解決するために、基板上に、複数の走査線及び複数のデータ線と、前記走査線及び前記データ線に夫々電気的に接続されると共に、表示素子を夫々含む複数の画素部とを備える電気光学パネルを駆動するための駆動方法であって、画像信号供給期間を規定する選択信号に応じて前記複数のデータ線のうち一又は複数のデータ線に画像信号を供給し、前記複数の走査線を選択するための走査信号を、前記複数の走査線に夫々供給し、前記走査線に前記走査信号が供給されている走査信号供給期間内に、前記選択信号を供給し、前記複数の走査線のうち、前記走査信号が相対的に先に供給される一の走査線と、前記走査信号が相対的に後に供給される他の走査線とについて、時間軸上で、前記一の走査線の走査信号供給期間において前記選択信号の供給が終了した後に位置し且つ前記他の走査線の走査信号供給期間において前記選択信号の供給の開始より前に位置する画像信号調整期間内に前記画像信号を所定の電位に対して第１極性と第２極性とに極性反転させると共に、前記画像信号調整期間内において前記画像信号は前記第１極性では所定の第１電位とし、前記第２極性では所定の第２電位として供給すると共に、前記画像信号供給期間に前記画像信号をデータ線毎に調整された表示電位として供給し、前記画像信号調整期間内に、前記一の走査線に対する前記走査信号の供給を終了する。
【００３４】
本発明の電気光学パネルの駆動方法によれば、上述した本発明の駆動回路と同様に、画像信号の極性反転時に、画像信号の交流成分が書き込まれることによって誤動作した表示素子による表示画像への影響を小さくすることができる。また、画像信号調整期間を設けることにより、例えば先行技術文献１に記載されたように各走査線を高速走査させる場合にも、表示素子の誤動作による表示画像への影響を小さくすることができる。
【００３５】
本発明のこのような作用及び他の利得は次に説明する実施の形態から明らかにされる。
【発明を実施するための最良の形態】
【００３６】
以下では、本発明の実施の形態について図を参照しつつ説明する。以下の実施形態は、本発明の電気光学装置を液晶装置に適用したものである。
【００３７】
＜１；電気光学パネルの全体構成＞
本発明の電気光学装置の一例たる液晶装置における、電気光学パネルの一例としての液晶パネルの全体構成について、図１及び図２を参照して説明する。ここに、図１は、ＴＦＴアレイ基板をその上に形成された各構成要素と共に対向基板の側から見た液晶パネルの概略的な平面図であり、図２は、図１のＨ−Ｈ’断面図である。ここでは、駆動回路内蔵型のＴＦＴアクティブマトリクス駆動方式の液晶パネルを例にとる。
【００３８】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００３９】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。
【００４０】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４１】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺のいずれかに沿い、且つ、前記額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続されるようにする。
【００４２】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００４３】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００４４】
なお、図１及び図２には図示しないが、ＴＦＴアレイ基板１０上には、データ線駆動回路１０１や走査線駆動回路１０４等に加えて、後述するように画像信号線上の画像信号をサンプリングしてデータ線に供給するサンプリング回路が形成されている。本実施形態では、サンプリング回路のほか、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００４５】
＜１−２；電気光学装置の全体構成＞
液晶装置の全体構成について図３及び図４を参照して説明する。ここに、図３は、液晶装置の全体構成を示すブロック図であり、図４は、液晶パネルの電気的な構成を示すブロック図である。
【００４６】
図３に示すように、液晶装置は、主要部として、液晶パネル１００、画像信号供給回路３００、タイミング制御回路４００、及び電源回路７００を備える。
【００４７】
タイミング制御回路４００は、各部で使用される各種タイミング信号を出力するように構成されている。タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。
【００４８】
画像信号供給回路３００には、外部から１系統の入力画像データＶＩＤが入力される。画像信号供給回路３００は、１系統の入力画像データＶＩＤをシリアル−パラレル変換して、Ｎ相、本実施形態では６相（Ｎ＝６）の画像信号ＶＩＤ１〜ＶＩＤ６を生成する。更に、画像信号供給回路３００は、画像信号ＶＩＤ１〜ＶＩＤ６の各々の電圧を、所定の基準電位ｖ０に対して「第１極性」として負極性及び「第２極性」として正極性に反転して、画像信号ＶＩＤ１〜ＶＩＤ６を出力する。
【００４９】
また、電源回路７００は、所定の共通電位ＬＣＣの共通電源を、図２に示す対向電極２１に供給する。本実施形態において、対向電極２１は、図２に示す対向基板２０の下側に、複数の画素電極９ａと対向するように形成されている。
【００５０】
次に、液晶パネル１００における電気的な構成について説明する。
【００５１】
図４に示すように、液晶パネル１００には、そのＴＦＴアレイ基板１０の周辺領域に、走査線駆動回路１０４、本発明に係る「選択信号供給回路」に相当するデータ線駆動回路１０１、及びサンプリング回路２００を含む内部駆動回路が設けられている。
【００５２】
走査線駆動回路１０４には、Ｙクロック信号ＣＬＹ、反転Ｙクロック信号ＣＬＹｉｎｖ、及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｙ１、・・・、Ｙｍを順次生成して出力する。
【００５３】
データ線駆動回路１０１には、Ｘクロック信号ＣＬＸ、反転Ｘクロック信号ＣＬＸｉｎｖ、及びＸスタートパルスＤＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、本発明に係る「選択信号」としてサンプリング信号Ｓ１、・・・、Ｓｎを順次生成して出力する。
【００５４】
サンプリング回路２００は、本発明に係る「選択用スイッチング素子」として、Ｐチャネル型又はＮチャネル型の片チャネル型ＴＦＴ若しくは相補型のＴＦＴから構成されたサンプリングスイッチ２０２を複数備える。
【００５５】
液晶パネル１００は更に、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９ａ、及び本発明に係る「画素スイッチング素子」として画素電極９ａをスイッチング制御するためのＴＦＴ１１６を備える。尚、本実施形態では特に、走査線１１２の総本数をｍ本（但し、ｍは２以上の自然数）とし、データ線１１４の総本数をｎ本（但し、ｎは２以上の自然数）として説明する。
【００５６】
６相にシリアル−パラレル展開された画像信号ＶＩＤ１〜ＶＩＤ６は夫々、画像信号線１７１を介して液晶パネル１００に供給される。また、図４に示すように、サンプリング回路２００において、Ｎ個、本実施形態では６個のサンプリングスイッチ２０２を１群とし、１群に属するサンプリングスイッチ２０２に夫々、データ線駆動回路１０１よりサンプリング信号Ｓｉ（ｉ＝１、２、・・・、ｎ）が入力される。１群に属するサンプリングスイッチ２０２は、Ｎ本、本実施形態では６本のデータ線１１４を１群とし、１群に属するデータ線１１４に対し、サンプリング信号Ｓｉに応じて、６相にシリアル−パラレル展開された画像信号ＶＩＤ１〜ＶＩＤ６をサンプリングして供給する。即ち、１群に属するサンプリングスイッチ２０２を介して、１群に属するデータ線１１４と６本の画像信号線１７１が電気的に接続される。従って、本実施形態では、ｎ本のデータ線１１４を１群に属するデータ線１１４毎に駆動するため、駆動周波数が抑えられる。
【００５７】
図４中、一つの画素部７０の構成に着目すれば、ＴＦＴ１１６のソース電極には、画像信号ＶＩＤｋ（但し、ｋ＝１、２、３、・・・、６）が供給されるデータ線１１４が電気的に接続されている一方、ＴＦＴ１１６のゲート電極には、走査信号Ｙｊ（但し、ｊ＝１、２、３、・・・、ｍ）が供給される走査線１１２が電気的に接続されるとともに、ＴＦＴ１１６のドレイン電極には、液晶素子１１８の画素電極９ａが接続されている。ここで、各画素部７０において、液晶素子１１８は、画素電極９ａと対向電極２１との間に液晶を挟持してなる。従って、各画素部７０は、走査線１１２とデータ線１１４との各交点に対応して、マトリクス状に配列されることになる。
【００５８】
走査線駆動回路１０４から出力される走査信号Ｙ１、・・・、Ｙｍによって、各走査線１１２は線順次に選択される。選択された走査線１１２に対応する画素部７０において、該走査線１１２における走査信号供給期間に、ＴＦＴ１１６に走査信号Ｙｊが供給されると、ＴＦＴ１１６はオン状態となり、当該画素部７０は選択状態となる。液晶素子１１８の画素電極９ａには、ＴＦＴ１１６を一定期間だけそのスイッチを閉じることにより、データ線１１４より画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤ１〜ＶＩＤ６に応じたコントラストをもつ光が出射する。
【００５９】
ここで、保持された画像信号がリークするのを防ぐために、蓄積容量１１９が、液晶素子１１８と並列に付加されている。例えば、画素電極９ａの電圧は、ソース電圧が印加された時間よりも３桁も長い時間だけ蓄積容量１１９により保持されるので、保持特性が改善される結果、高コントラスト比が実現されることとなる。
【００６０】
＜１−３；電気光学装置の動作＞
次に、図１から図４に加えて、図５を参照して液晶装置の動作について説明する。図５は、液晶装置の動作に係る各種信号の経時的変化を示すタイミングチャートを示す図である。
【００６１】
複数の走査線１１２は、図４中、画像表示領域１０ａ内に縦方向に沿って配列されている。本実施形態では、複数の走査線１１２は、図４中、その配列方向に沿った順番で選択されると共に、各画素部７０において、液晶素子１１８によってノーマリーホワイトモードの表示が行われるものとする。尚、図５において、液晶素子１１８によってブラックを表示するための画像信号ＶＩＤｋの第２表示電位を、正極性でｖｂ（＋）及び負極性でｖｂ（−）として説明する。
【００６２】
以下では、特に、第（ｊ−２）番目、第（ｊ−１）番目及び第ｊ番目に選択される走査線１１２に対応する画素部７０に着目して説明する。
【００６３】
ここで、各走査線１１２の走査信号供給期間は、走査線駆動回路１０４から走査信号Ｙｊが出力されている期間に相当する。そして、各走査線１１２の選択期間は、Ｙクロック信号ＣＬＹ及び反転Ｙクロック信号ＣＬＹｉｎｖによって規定される。図５において、Ｙクロック信号ＣＬＹが時刻ｔ１においてローレベルからハイレベルに立ち上がると、走査線駆動回路１０４からの走査信号Ｙｊ−２の供給が終了すると同時に、走査信号Ｙｊ−１が走査線駆動回路１０４から供給される。よって、第（ｊ−２）番目の走査線１１２の走査信号供給期間が終了し、第（ｊ−１）番目の走査線１１２の走査信号供給期間が開始して、第（ｊ−１）番目の走査線１１２が選択される。
【００６４】
他方、画像信号供給回路３００は、時間軸上で時刻ｔ１より前に位置する時刻ｔ０から、時刻ｔ１より後であって、第（ｊ−１）番目の走査線１１２の走査信号供給期間にデータ線駆動回路１０１よりサンプリング信号Ｓｉの供給が開始される時刻ｔ３より前に位置する時刻ｔ２までの期間（要するに、図５中で時刻ｔ０から時刻ｔ２までの期間）を、画像信号調整期間とする。
【００６５】
時刻ｔ０から時刻ｔ３までの期間（いわゆる水平帰線期間に対応）において、サンプリング信号Ｓｉはローレベルであり、サンプリングスイッチ２０２はオフ状態となっている。よって、データ線１１４において画像信号ＶＩＤｋの供給は行われていない状態となっている。
【００６６】
図５に示すように、時刻ｔ０より前に、画像信号ＶＩＤｋは、負極性側の第２表示電位ｖｂ（−）となっている。画像信号供給回路３００は、時刻ｔ０に、画像信号ＶＩＤｋを、第２表示電位ｖｂ（−）から、第１電位として、表示素子１１８によってホワイトを表示するための負極性側の第１表示電位ｖｗ（−）に調整する。その後、走査信号Ｙｊ−２の供給が終了される時刻ｔ１に、画像信号ＶＩＤｋの電位を、負極性から正極性に反転させた後、第２電位として、正極性側の第１表示電位ｖｗ（＋）に調整する。従って、画像信号ＶＩＤｋの極性反転に伴う電圧の変化は、負極性側及び正極性側の第１表示電位ｖｗ（−）及びｖｗ（＋）によって規定されるものとなり、例えば、２［Ｖ］程度の値とすることが可能となる。即ち、画像信号ＶＩＤｋの極性反転に伴う電圧の変化を小さくすることが可能となる。
【００６７】
ここで、第（ｊ−２）番目の走査線１１２における、例えば画像表示領域１０ａの中央付近に位置する一部分で、配線抵抗若しくは配線容量によって、走査信号Ｙｊ−２の供給終了タイミングに対して、選択終了タイミングが遅れることがある。このように選択終了タイミングが遅れると、上述したように既に画像信号ＶＩＤｋの供給が終了した、１群に属するデータ線１１４に対応する画素部７０であって、第（ｊ−２）番目の走査線１１２の一部分に対応する画素部７０の選択が終了する前に、該画素部７０における液晶素子１１８に、対応するデータ線１１４にサンプリングスイッチ２０２の容量結合を介して供給された画像信号ＶＩＤｋの交流成分が書き込まれる可能性がある。しかしながら、上述したように、極性反転に伴う画像信号ＶＩＤｋの電圧の変化は小さいため、画像信号ＶＩＤｋの交流成分が書き込まれることによって誤動作した液晶素子１１８による表示画像への影響を小さくすることができる。
【００６８】
画像信号供給回路３００は、時刻ｔ２に画像信号ＶＩＤｋを、正極性側の第１表示電位ｖｗ（＋）から、正極性側の第２表示電位ｖｂ（＋）に変化させると同時に画像信号調整期間を終了する。
【００６９】
続いて、第（ｊ−１）番目の走査線１１２が、Ｙクロック信号ＣＬＹがハイレベルにある時刻ｔ１から時刻ｔ６までの期間において選択状態となり、第（ｊ−１）番目の走査線１１２に対応する画素部７０が選択される。
【００７０】
時刻ｔ２において画像信号調整期間が終了した後、時刻ｔ３に、サンプリング信号Ｓｉがデータ線駆動回路１０１から出力され、サンプリングスイッチ２０２に供給される。そして、サンプリング信号Ｓｉが供給されている、時刻ｔ３から時刻ｔ４の期間に、サンプリングスイッチ２０２は、シフトレジスタ出力であるサンプリング信号Ｓｉの出力に応じて順にオン状態となる。この際、パラレル−シリアル展開が採用されているため、同一のサンプリング信号Ｓｉに接続されているサンプリングスイッチ２０２は、まとめてオン状態とされる。本実施形態では特に、１つの連続した画像信号供給期間（例えば、図５における、時刻ｔ３〜ｔ４の期間）に、１ライン分の画像信号ＶＩＤｋに対応して、サンプリング信号Ｓ１、・・・、Ｓｎが出力される。また、別の１つの連続した画像信号供給期間（例えば、図５における、時刻ｔ８〜ｔ９の期間）に、別の１ライン分の画像信号ＶＩＤｋに対応して、サンプリング信号Ｓ１、・・・、Ｓｎが出力される。いずれにせよ、画像信号供給期間にのみ、画像信号のサンプリングが行なわれて、データ線１１４への画像信号ＶＩＤｋの供給が行なわれる。
【００７１】
画像信号供給回路３００は、時刻ｔ３からｔ４の期間に、画像信号ＶＩＤｋを、データ線１１４毎に正極性側の表示電位ｖａ（＋）に調整する。これによって、画像信号ＶＩＤｋは、データ線毎に所定の基準電位ｖ０及び表示電位ｖａ（+）によって規定される表示電圧として、画像信号供給回路３００より出力される。そして、画像信号ＶＩＤｋは、オン状態のサンプリングスイッチ２０２を介して、対応するデータ線１１４に供給される。このように駆動されたデータ線１１４に対応し、且つ第（ｊ−１）番目の走査線１１２に対応する画素部７０には夫々画像信号ＶＩＤｋが供給される。このように、時刻ｔ３からｔ４の期間に、実際に表示すべき画像データに応じた画像信号ＶＩＤｋがサンプリングスイッチ２０２及びデータ線１１４を介して供給される。
【００７２】
時刻ｔ４に、サンプリング信号Ｓｉの供給が終了して、画像信号供給期間が終了すると、画像信号供給回路３００は、画像信号ＶＩＤｋを、表示電位ｖａ（＋）から正極性側の第２表示電位ｖｂ（＋）に調整する。その後、時刻ｔ６に第（ｊ−１）番目の走査線１１２に対応する画素部７０の選択が終了する。尚、Ｙクロック信号ＣＬＹが時刻ｔ６においてハイレベルからローレベルに立ち下がると、走査信号Ｙｊが走査線駆動回路１０４から出力されて、第ｊ番目の走査線１１２の走査信号供給期間が開始され、第ｊ番目の走査線１１２が選択される。
【００７３】
ここで、画像信号供給回路３００は、サンプリング信号Ｓｉの供給が終了する時刻ｔ４より後であって、走査信号Ｙｊ−１の供給が終了する時刻ｔ６より前の時刻ｔ５から、時刻ｔ６より後であって、第ｊ番目の走査線１１２の選択期間にデータ線駆動回路１０１よりサンプリング信号Ｓｉの供給が開始される時刻ｔ８より前の時刻ｔ７までの期間（要するに、図５中で時刻ｔ５から時刻ｔ７までの期間）を、画像信号調整期間とする。
【００７４】
画像信号供給回路３００は、時刻ｔ０から時刻ｔ２までの画像信号調整期間と同様に、画像信号ＶＩＤｋを極性反転させると共に、その電位を調整する。より具体的には、時刻ｔ５に、画像信号ＶＩＤｋを、正極性側の第２表示電位ｖｂ（＋）から、正極性側の第１表示電位ｖｗ（＋）に調整する。その後、走査信号Ｙｊ−１の供給が終了される時刻ｔ６に、画像信号ＶＩＤｋの電位を、正極性から負極性に反転させた後、負極性側の第１表示電位ｖｗ（−）に調整する。続いて、画像信号供給回路３００は、時刻ｔ７に画像信号ＶＩＤｋを、負極性側の第１表示電位ｖｗ（−）から、負極性側の第２表示電位ｖｂ（−）に変化させると同時に画像信号調整期間を終了する。
【００７５】
続いて、第ｊ番目の走査線１１２が、Ｙクロック信号ＣＬＹがローレベルにある時刻ｔ６から時刻ｔ１１までの期間において選択状態となり、第ｊ番目の走査線１１２に対応する画素部７０が選択される。
【００７６】
時刻ｔ８から時刻ｔ９までの期間に、オン状態のサンプリングスイッチ２０２を介して対応するデータ線１１４より、第（ｊ−１）番目の走査線１１２に対応する画素部７０には夫々画像信号ＶＩＤｋが供給される。尚、時刻ｔ８から時刻ｔ９までの期間に、画像信号供給回路３００は、画像信号ＶＩＤｋを、データ線１１４毎に負極性側の表示電位ｖａ（−）に調整する。その後、時刻ｔ１０に、画像信号供給回路３００によって、再び画像信号調整期間が開始される。
【００７７】
以上説明したように、第（ｊ−２）番目の走査線１１２と同様、第（ｊ−１）番目及び第ｊ番目の走査線１１２においても、選択終了タイミングが遅れた一部分に対応する画素部７０における液晶素子１１８の誤動作による表示画像への影響を小さくすることができる。また、上述したような画像信号調整期間を設けることにより、例えば各走査線１１２を高速走査させる場合にも、液晶素子１１８の誤動作による表示画像への影響を小さくすることができる。よって、本実施形態では、液晶パネル１００において高品質な画像表示を行うことが可能となる。
【００７８】
ここで、本実施形態では、画像信号供給回路３００が、画像信号調整期間内に、画像信号ＶＩＤｋを、極性反転前及び極性反転後の両方で、第２表示電位ｖｂ（＋）及びｖｂ（−）と比較して、基準電位ｖ０により近いほうの第１表示電位ｖｗ（＋）及びｖｗ（−）に調整する。よって、極性反転に伴う画像信号ＶＩＤｋの電圧の変化を最も小さくすることが可能となる。尚、画像信号供給回路３００は、画像信号ＶＩＤｋを、第１電位として、負極性側の第２表示電位ｖｂ（−）より基準電位ｖ０に近づけた電位となるように調整すると共に、第２電位として、正極性側の第２表示電位ｖｂ（＋）より基準電位ｖ０に近づけた電位となるように調整するようにしてもよい。
【００７９】
加えて、上述したようにｎ本のデータ線１１４を１群に属するデータ線１１４毎に駆動する場合に限られず、各データ線１１４毎に駆動するようにしてもよい。或いは、ｎ本のデータ線１１４を夫々、赤色（Ｒ）用、緑色（Ｇ）用、及び青色（Ｂ）用の３種のうちのいずれかとし、Ｒ用、Ｇ用、及びＢ用の３種のデータ線を１群として、１群に属するデータ線１１４毎に駆動するようにしてもよい。後者の場合には、画像信号供給回路３００は、入力画像データＶＩＤに基づいて画像信号をＲＧＢ各色に対応するＲ信号、Ｇ信号、及びＢ信号として生成して、供給する。
【００８０】
＜１−４；変形例＞
以上説明した本実施形態の変形例について、図６から図９を参照して説明する。図６及び図７は夫々、一の変形例に係る液晶装置の動作を説明するためのタイミングチャートを示す図であって、図８及び図９は夫々、他の変形例に係る液晶装置の動作を説明するためのタイミングチャートを示す図である。
【００８１】
画像信号供給回路３００は、画像信号調整期間内に、画像信号ＶＩＤｋの電位を、極性反転前若しくは極性反転後に、負極性側で第１電位とし正極性側で第２電位とするようにしてもよい。
【００８２】
図６において、画像信号供給回路３００は、時刻ｔ０に、画像信号ＶＩＤｋを第１電位として負極性側の第１表示電位ｖｗ（−）に調整する。その後、走査信号Ｙｊ−２の供給が終了される時刻ｔ１に、画像信号ＶＩＤｋの電位を、負極性から正極性に反転させた後、正極性側の第２表示電位ｖｂ（＋）に調整する。また、画像信号供給回路３００は、時刻ｔ５に、画像信号ＶＩＤｋを、正極性側の第２表示電位ｖｂ（＋）から、第２電位として正極性側の第１表示電位ｖｗ（＋）に調整する。その後、走査信号Ｙｊ−１の供給が終了される時刻ｔ６に、画像信号ＶＩＤｋの電位を、正極性から負極性に反転させた後、負極性側の第２表示電位ｖｂ（−）に調整する。
【００８３】
或いは、図７に示すように、画像信号供給回路３００は、時刻ｔ１に、画像信号ＶＩＤｋの電位を、負極性から正極性に反転させた後、負極性側の第２表示電位ｖｂ（−）から正極性側の第１表示電位ｖｗ（＋）に調整する。また、画像信号供給回路３００は、時刻ｔ６に、画像信号ＶＩＤｋの電位を、正極性から負極性に反転させた後、正極性側の第２表示電位ｖｂ（＋）から負極性側の第１表示電位ｖｗ（−）に調整する。
【００８４】
従って、画像信号ＶＩＤｋの極性反転に伴う電圧の変化は、上述したように極性反転前若しくは極性反転後に電位を調整しない場合と比較して、小さくすることが可能となる。即ち、このようにしても、本実施形態における利益を十分享受することができる。
【００８５】
或いは、画像信号供給回路３００は、画像信号調整期間内において、画像信号ＶＩＤｋを、走査信号供給期間の終了後に極性反転させるようにしてもよい。図８において、画像信号供給回路３００は、走査信号Ｙｊ−２の供給が終了される時刻ｔ１より後であって、画像信号調整期間が終了する時刻ｔ２より前の時刻ｔ２２に、画像信号ＶＩＤｋの電位を負極性から正極性に反転させる。また、画像信号供給回路３００は、走査信号Ｙｊ−１の供給が終了される時刻ｔ６より後であって、画像信号調整期間が終了する時刻ｔ７より前の時刻ｔ２７に、画像信号ＶＩＤｋの電位を正極性から負極性に反転させる。このようにすれば、画像信号ＶＩＤｋの電位を変化させないで、各走査線１１２の走査信号供給期間を終了することが可能となる。よって、各走査線１１２における、走査信号Ｙｊの供給終了タイミングに対して選択終了タイミングが遅れた一部分に対応する画素部７０に、対応するデータ線１１４にサンプリングスイッチ２０２の容量結合を介して供給された画像信号ＶＩＤｋの交流成分が書き込まれるのを防止することができる。従って、液晶素子１１８の誤動作による表示画像への影響をほぼ除去することが可能となる。よって、液晶パネル１００においてより高品質な画像表示を行うことが可能となる。
【００８６】
加えて、画像信号供給回路３００は、画像信号調整期間内に、画像信号ＶＩＤｋを、極性反転前又は極性反転後に、第１電位又は第２電位として基準電位ｖ０にするようにしてもよい。図９に示すように、画像信号供給回路３００は、時刻ｔ０に、画像信号ＶＩＤｋを、負極性側の第２表示電位ｖｂ（−）から基準電位ｖ０に調整する。そして、時刻ｔ０から時刻ｔ２の期間に、画像信号ＶＩＤｋを、基準電位ｖ０に維持する。また、画像信号供給回路３００は、時刻ｔ５に、画像信号ＶＩＤｋを、正極性側の第２表示電位ｖｂ（＋）から基準電位ｖ０に調整する。そして、時刻ｔ５から時刻ｔ７の期間に、画像信号ＶＩＤｋを、基準電位ｖ０に維持する。このようにすれば、画像信号調整期間内において、画像信号ＶＩＤｋの電位を変化させないで、各走査線１１２の走査信号供給期間を終了させることが可能となる。従って、各走査線１１２の一部分において、走査信号Ｙｊの供給終了タイミングに対して選択終了タイミングが遅れても、該一部分に対応する画素部７０における液晶素子１１８の誤動作を防止して、このような誤動作による表示画像への影響をほぼ除去することが可能となる。尚、図６又は図７を参照して説明したような場合、極性反転前若しくは極性反転後に、画像信号ＶＩＤｋを基準電位ｖ０とするようにしてもよい。この場合には、極性反転に伴う画像信号ＶＩＤｋの電圧の変化をより小さくすることが可能となる。
【００８７】
また、本実施形態では、各画素部７０において、液晶素子１１８によってノーマリーブラックモードの表示を行うようにしてもよい。この場合には、画像信号供給回路３００によって第１電位又は第２電位が、第２表示電位に調整されるか、若しくは第１表示電位より基準電位ｖ０に近づけた電位に調整されるのが好ましい。
【００８８】
＜２；電子機器＞
次に、上述した液晶装置を各種の電子機器に適用する場合について説明する。
【００８９】
＜２−１：プロジェクタ＞
まず、この液晶装置をライトバルブとして用いたプロジェクタについて説明する。図１０は、プロジェクタの構成例を示す平面配置図である。この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブ１１１０Ｒ、１１１０Ｂおよび１１１０Ｇに入射される。これら３つのライトバルブ１１１０Ｒ、１１１０Ｂおよび１１１０Ｇは夫々液晶装置を含む液晶モジュールを用いて構成されている。
【００９０】
ライトバルブ１１１０Ｒ、１１１０Ｂおよび１１１０Ｇにおいて液晶パネル１００は、画像信号供給回路３００から供給されるＲ、Ｇ、Ｂの原色信号でそれぞれ駆動されるものである。そして、これらの液晶パネル１００によって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００９１】
ここで、各ライトバルブ１１１０Ｒ、１１１０Ｂおよび１１１０Ｇによる表示像について着目すると、ライトバルブ１１１０Ｇによる表示像は、ライトバルブ１１１０Ｒ、１１１０Ｂによる表示像に対して左右反転することが必要となる。
【００９２】
なお、ライトバルブ１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００９３】
＜２−２：モバイル型コンピュータ＞
次に、液晶装置を、モバイル型のパーソナルコンピュータに適用した例について説明する。図１１は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００９４】
＜２−３；携帯電話＞
さらに、液晶装置を、携帯電話に適用した例について説明する。図１２は、この携帯電話の構成を示す斜視図である。図において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００９５】
尚、図１０から図１２を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００９６】
本発明は、上述した実施形態に限られるものではなく、請求の範囲及び明細書全体から読み取れる発明の要旨或いは思想に反しない範囲で適宜変更可能であり、そのような変更を伴う電気光学パネルの駆動回路及び方法、該電気光学パネル及び駆動回路を備えてなる電気光学装置、並びに該電気光学装置を備えてなる電子機器もまた本発明の技術的範囲に含まれるものである。
【図面の簡単な説明】
【００９７】
【図１】液晶パネルの全体構成を示す平面図である。
【図２】図１のＨ−Ｈ’断面図である。
【図３】液晶装置の全体構成を示すブロック図である。
【図４】液晶パネルの電気的な構成を示すブロック図である。
【図５】液晶装置の動作に係る各種信号の経時的変化を示すタイミングチャートである。
【図６】本変形例に係る液晶装置の一の動作を説明するためのタイミングチャートを示す図である。
【図７】本変形例に係る液晶装置の一の動作を説明するためのタイミングチャートを示す図である。
【図８】本変形例に係る液晶装置の他の動作を説明するためのタイミングチャートを示す図である。
【図９】本変形例に係る液晶装置の他の動作を説明するためのタイミングチャートを示す図である。
【図１０】液晶装置を適用した電子機器の一例たるプロジェクタの構成を示す平面図である。
【図１１】液晶装置を適用した電子機器の一例たるパーソナルコンピュータの構成を示す斜視図である。
【図１２】液晶装置を適用した電子機器の一例たる携帯電話の構成を示す斜視図である。
【符号の説明】
【００９８】
９ａ…画素電極、１０ａ…画像表示領域、１０…ＴＦＴアレイ基板、２０…対向基板、２１…対向電極、７０…画素部、１００…液晶パネル、１０１…データ線駆動回路、１０４…走査線駆動回路、１１２…走査線、１１４…データ線、１１８…液晶素子、２００…サンプリング回路、２０２…サンプリングスイッチ、３００…画像信号供給回路
【図１】
2005326750.tif 000003
【図２】
2005326750.tif 000004
【図３】
2005326750.tif 000005
【図４】
2005326750.tif 000006
【図５】
2005326750.tif 000007
【図６】
2005326750.tif 000008
【図７】
2005326750.tif 000009
【図８】
2005326750.tif 000010
【図９】
2005326750.tif 000011
【図１０】
2005326750.tif 000012
【図１１】
2005326750.tif 000013
【図１２】
2005326750.tif 000014